(57)【要約】    【課題】  スリッパ等の履物の機能を向上させる。    【解決手段】  本考案は履物の底板部１に長さ方向の中央部を高くするように湾曲した弾性体１１を介在させることにより、津市不磨図の部分を高くするようにした反りを有するものとなる。不使用時には甲被部３の開口端部が斜め上向きになり、足を入れやすくなるため履き易くなる。使用時には足圧により底板部は地面に密着状態となる。弾性体１１は板ばねを湾曲状に屈成したものからなり、底板部１の中間層に敷くように設ける。    【選択図】      図２
0003114855.tif 000002
【実用新案登録請求の範囲】
【請求項１】
底板部の略前半部に甲被部を有し、該底板部の後端部に踵の後退を防ぐように立ち上げてなる踵保持部を有する履物において、
上記底板部に土踏まず近傍を高くするように湾曲状に形成した弾性体が介在していることを特徴とする履物。
【請求項２】
上記弾性体は上記踵保持部まで延伸して上記踵保持部と一体に立ち上げてあることを特徴とする請求項１に記載した履物。
【請求項３】
上記甲被部の踵寄りの両側面には上記底板部が変形するときに上記甲被部の開口端の変形を減少させる伸縮手段が設けてあることを特徴とする請求項１または請求項２のいずれかに記載した履物。
【考案の詳細な説明】
【技術分野】
【０００１】
本考案は例えばスリッパや靴などの履物特に高齢者や身体障害者に適する履物に関するものである。
【背景技術】
【０００２】
スリッパや靴などのうち高齢者や身体障害者用の履物や、簡易履物についてはその機能として履き易さと、歩行中の脱げにくさとが挙げられる。通常は、爪先の導入部である甲被部の開口端部をなるべく大きくして足を入れ易くすることが行われるが、そうするとこんどは歩行中に簡単に脱げてしまうという不都合は避けられない。そこで、このような背理を解決するために、底板の土踏まずの部分が載る部分を踵が載る部分よりも狭くし、それらの境界に段差部を設け、各段差部に、ゴムチューブ等を芯材とする開口端部用パット部材の両端部を取着することが提案されている。このパット部材は甲被の開口端周辺部の両面に沿って取着してあることにより、足の甲部が甲被へ密着することにより脱げにくくするとともに、保温性の向上を図っている。また、この提案においては、底板と中敷板との間に中芯板を設け、この中芯板の爪先端部寄りの位置に複数の貫通孔を前後方向と直交するように設け、これらの各貫通孔にゴムチューブ等の弾性部材を嵌め込んで、足底の前後への滑りを抑制可能としてある（特許文献１）。
【０００３】
また、別の提案として、踵の周囲を覆う部分を有しないスリッパ等の簡易履物において、本来の履き易さ、使い勝手の良さを損なうことなく、脱げにくくするとともに、パタ付き音の発生を防止し、加えて履き心地の良さを向上させるようにした履物が提案されている。この履物は、足載せ部とつまかけ部とからなり、これら両部をまたがるように上面層と下面層との間に、くの字状に屈曲された弾性部材を埋設することにより、踵部が上方に折り曲げられた状態となるようにしてある。この履物に足を入れて踵部を下方に押し下げると、土踏まず部に設けてある押上げ突起が相対的にせり上がって土踏まずを押し上げるようにして健康上の効果を期待できるようになっている（特許文献２）。
【０００４】
【特許文献１】実登第３０１７０４０号
【特許文献２】実登第３０２９６３０号
【考案の開示】
【考案が解決しようとする課題】
【０００５】
上記の特許文献１記載のスリッパは保温性に秀れ、履き心地の良いものとなることは肯ける。しかしながら、長時間履いたままの状態を継続する場合はともかく、家庭用サンダルや普段履きの靴などでは、頻繁に着脱することが多い。このような場合に体の不自由な高齢者や身体障害者にとって、つま先を甲被部の開口端に差し込むことがうまくできずにいらいらの原因となっていることがある。また、歩行中にも足が後方へ抜けてしまうことがある。このような人たちにとって、履き易さ、すなわち足を入れ易くしてあることが要求されるが、このスリッパではこの履き易さには難点がある。また、特許文献２記載の履物では、踵部が弾性部材により上方に折り曲げられており、これにより甲被開口部が狭くなっているため、履きにくくなっていることは否めない。
【課題を解決するための手段】
【０００６】
上記の課題を解決するために、本考案は底板部の略前半部に甲被部を有し、この底板部の後端部に踵の後退を防ぐように立ち上げてなる踵保持部を有する履物において、上記の底板部の土踏まず近傍を高くするように湾曲状に形成した弾性体が介在しているところに特徴がある。底板部への弾性体の介在により不使用時には前後に対する中央部が高くなる状態に反っていることにより、甲被部の開口端がやや上向きになるため、足を入れやすくなるので容易に履くことができる。開口端から足を甲被部に入れ、踵を底板部上面に載せることにより底板部の全面を押圧すると、底板部が地面又は床面に接し、これにより弾性体が変形して底板部全体が足底（足の平）になじんだ状態となる。
【０００７】
また、上記の弾性体を踵保持部まで延伸して立ち上げるようにすれば、上記の踵受け部が踵の後退している部分の上部に弾接するため、歩行中に踵が踵保持部から抜けにくくなる働きが向上する。
【０００８】
さらに、この履物は、上記した甲被部の踵寄りの両側面に、底板部が変形するときに甲被部の開口端の変形を減少させる伸縮手段が設けてある。底板部が湾曲しているときには甲被部の開口端が横に広がるとともに高さが減少するため、足の甲が僅かながら入りにくくなる現象が起きる。この対策として甲被部の踵寄りの両側面にゴム繊維などからなる伸縮手段を設けることにより上記の変形を少なくするようにしたものである。
【考案の効果】
【０００９】
本考案によれば、履物の底板部に湾曲した弾性体を介在させることにより履物を前後方向に反らせてあるため、甲被部の開口端部が水平よりも上向きになるので、足を入れやすくなるため履くときに容易に足先を入れ易くなる。また、上記の弾性体を踵保持部まで延伸させて立ち上げるようにすれば、一層脱げにくくなる。さらに甲被部の両側に伸縮手段を設ければ、底板部が湾曲した状態において開口端の変形が少なくなるので、履きやすさが向上する等の効果を奏する。
【考案を実施するための最良の形態】
【００１０】
次に本考案の実施の最良の形態について図面を参照して説明する。本考案は履物の底板部に弾性体を介在させることにより湾曲させてあるところに特徴を有するものであり、甲被部を備えたあらゆる履物に適用可能であるが、ここでは実施例としてスリッパとカジュアルシューズを取り上げて説明する。
【実施例１】
【００１１】
図１〜図４は、本考案に係る履物としてのスリッパを示しており、図１は平面図、図２は側面の断面図、図３はスリッパを履いたときの状態を示す側面の断面図、図４は図１のＡ−Ａ線の拡大断面図である。
【００１２】
図１，図２に示すように、底板部１の前半部に甲被部３が足の前半部を挿入可能に設けてある。底板部１の後端部には後端部を立ち上げてなる踵保持部５が設けてある。踵保持部５は、踵の周囲を部分的に取り囲み可能な湾曲状になっており、その頂部には軟質ゴム又はフェルト製のふくらみ体からなる踵押さえ部１７が設けてある。
【００１３】
底板部１は、最下層に厚さ３〜５ｍｍの接地底板７が位置し、その上に底敷板９が接合してある。底敷板９の形状は、前端部から踵の部分までは、ほぼ接地底板７と一致するが、後端部は立ち上げて上述の踵保持部５を構成している。底敷板９の上面には、先端部からほぼ２０ｍｍ程度を残して浅底の凹部９ａが形成してある。この凹部９ａには弾性体としての板ばね１１が嵌め込んである。板ばね１１は前後方向のほぼ中央部を高くする湾曲状に形成してあり、後端部は底敷板９とともに立ち上げて踵保持部の一部となっている。板ばね１１の厚さは、使用していないときには底板部１を、図２に示すように湾曲状を維持し、使用中には体重によって図３に示すように、全面が底面に密着するような扁平体となるのに適するようにしてある。
【００１４】
図４に示すように、底敷板９の前半部周囲には、上述の甲被部３ののり付け部３ａ，３ａが接合してある。甲被部３の材質は特に限定されないが、底板部１の変形に対応して変形可能とするために伸縮性に富んだものとすることが望ましい。甲被部３ののり付け部３ａ，板ばね１１及び上記のり付け部３ａと板ばね１１とを除いた底敷板９の上面には、中敷板１３が敷き詰めてある。中敷板１３は交換可能とすることにより、生活に変化をもたせるようにしてもよい。また、上面の要所に複数の突起を設けて足底に刺激を与え、あるいは土踏まずの部分を盛り上げて疲労回復作用を生じさせるようにしてもよい。踵保持部５は、上述の底敷板９と板ばね１１との立ち上げ部と、板ばね１１側を覆うように接合してなる内張板１５とからなり、図１に示すように湾曲状に形成してある。踵保持部５の上端部には軟質のゴムやフェルト材を略楕円形状断面となるように形成した上述の踵押さえ部１７が踵保持部１５の上端部を覆うように固着しある。踵押え部１７は足首の後部に軟らかく接触することにより使用中は踵を快適に保持可能とする。
【００１５】
甲被部３は、伸縮性に秀れる素材を用いることが望ましいが、甲被部の両側部に伸縮手段１９を設けるとさらに開口端Ｇの変形を少なくすることができる。伸縮手段１９は例えばゴム糸を編んでなる伸縮布地などをその部分の甲被部素材を除去した部分に縫い込むようにしたものを採用してある。
【実施例２】
【００１６】
図５，図６は本考案を靴（カジュアルシューズ）に適用したものを示している。底板部２１は接地底板２７にヒール部２７ａを備えていること以外は実施例１の場合と同様である。甲被板２３の端部には側周部２４が踵保持部２５まで伸びて、これに結合している。靴の場合には板ばね３１により反っている状態においては、特に甲被部２３の開口端Ｇを平たく変形させる度合いが大きいので、甲被部２３はなおさら伸縮性に優れた素材とすることが望ましい。また、伸縮手段３９も取り付けることが望ましい。
【実施例３】
【００１７】
この実施例は上述の実施例１の変形例であり、弾性体である板ばね５１を底板部４１の踵が位置する部分までとし、これを実施例１のように踵保持部４５までは延長しないようにしたものである。すなわち、図７〜図１０に示すように、板ばね５１の全体を底敷板４９の上面に形成された凹部４９ａに嵌め込んだものである。このようにすることにより、踵保持部４５は底敷板４９から立ち上げるだけでよく、かつ中敷板５３も踵保持部４５と一体に立ち上げなくともよいことになるため、製造が容易となる。その他の構成は実施例１に準じたものとなる。なお、このように板ばねを底板の部分だけにすることは実施例２の変形として採用することも可能である。
【００１８】
上記の弾性体としては、いずれもばね鋼板を打ち抜きしてなる板ばねを採用しているが、これらの弾性体はプラスチック成形品やその他の素材であってもよい。また、底板部の各構成材は変形容易なものであれば材質を制限されない。甲被部の形状や材質についても同様である。
【産業上の利用可能性】
【００１９】
本考案はスリッパ等の履物に関するものであり、本考案の実施により履物が製造され、販売に供され、これにより産業の発達に寄与するものである。
【図面の簡単な説明】
【００２０】
【図１】実施例１の平面図である。
【図２】実施例１の履物不使用時の状態を示す断面図である。
【図３】実施例１の履物使用時の状態を示す断面図である。
【図４】図１のＡ−Ａ線の拡大断面図である。
【図５】実施例２の平面図である。
【図６】実施例２の履物不使用時における構成を示す断面図である。
【図７】実施例３の平面図である。
【図８】実施例３の履物不使用時の状態を示す断面図である。
【図９】図８Ａ部の拡大図である。
【図１０】実施例３の履物使用時の状態を示す断面図である。
【符号の説明】
【００２１】
１，２１，４１      底板部
３，２３，４３      甲被部
５，２５，４５      踵保持部
１１，３１，５１    弾性体（板ばね）
１３，３３，５３    中敷板
１９，３９，５９    伸縮部材
Ｆ                  足
Ｇ                  開口端
【図１】
0003114855.tif 000003
【図２】
0003114855.tif 000004
【図３】
0003114855.tif 000005
【図４】
0003114855.tif 000006
【図５】
0003114855.tif 000007
【図６】
0003114855.tif 000008
【図７】
0003114855.tif 000009
【図８】
0003114855.tif 000010
【図９】
0003114855.tif 000011
【図１０】
0003114855.tif 000012